(57)【要約】      （修正有）【課題】コース上に簡単にホールポストを設置でき、さらに安定した形で固定することが可能なグラウンド・ゴルフ用ホールポストを提供する。【解決手段】円形リング状の底円部１４と、円形リング状の上円部１３と、ポール２１を支持するためのポール支持部１１と、ポール支持部の外周より放射状に配し底円部と上円部とポール支持部とを連結するための連結部１５と、ポール支持部の下面に吊り下げた鈴１２とを有するホールポスト本体１０と、ポール支持部の上面に起立させたポールと、ポールの上部に取り付けた旗２０とから構成されたグラウンド・ゴルフ用ホールポストにおいて、ホールポスト本体は、底円部より下方へ伸びる棒状の本体固定棒１６を少なくとも１本以上有する。【選択図】図１
0003139855.tif 000002
【実用新案登録請求の範囲】
【請求項１】
円形リング状の底円部と、円形リング状の上円部と、ポールを支持するためのポール支持部と、前記ポール支持部の外周より放射状に配し前記底円部と前記上円部と前記ポール支持部とを連結するための連結部と、前記ポール支持部の下面に吊り下げた鈴とを有するホールポスト本体と、前記ポール支持部の上面に起立させたポールと、ポールの上部に取り付けた旗とから構成されたグラウンド・ゴルフ用ホールポストにおいて、
前記ホールポスト本体は、前記底円部より下方へ伸びる棒状の本体固定棒を少なくとも１本以上有することを特徴とするグラウンド・ゴルフ用ホールポスト。
【請求項２】
前記本体固定棒は、該本体固定棒の下端に突出する突き刺し刃を有することを特徴とする請求項１に記載のグラウンド・ゴルフ用ホールポスト。
【請求項３】
前記連結部は、該連結部の下端にねじ孔を有し、さらに、前記本体固定棒は、該本体固定棒の上端より突出するねじ軸を有することで、前記ねじ軸が前記ねじ孔にねじ作用により嵌め合わされることを特徴とする請求項１又は２に記載のグラウンド・ゴルフ用ホールポスト。
【考案の詳細な説明】
【技術分野】
【０００１】
本考案は、グラウンド・ゴルフ用ホールポスト、特にホールポスト本体を地面に固定するための本体固定棒を備えたグラウンド・ゴルフ用ホールポストに関する。
【背景技術】
【０００２】
グラウンド・ゴルフは、ゴルフをアレンジしたスポーツとして、近年誕生した比較的新しいスポーツである。専用のクラブ、ボール、ホールポスト、スタートマットを使用して、ゴルフのようにボールをクラブで打ち、ホールポストにホールインするまでの打数を競う。コース上に配置されるホールポストは、場所によって距離や数を自由に設定できるが、標準的なコースは外回り４ホールポスト、内回り４ホールポストの合計８ホールポストを原則としている。また、準備やルールが比較的簡単で、プレーヤーの人数制限や時間制限がなく、他のスポーツのように高度な技術を必要としないため、子供から高齢者まで幅広く愛好され、近年広く全国に普及し、愛好者の数が増加している。
但し、正式の試合では、規格化されたルールと日本グラウンド・ゴルフ協会より認定された主幹を必要とする。
【０００３】
従来より、図５に示すようにグラウンド・ゴルフ用ホールポストは、円形リング状の底円部１４と、円形リング状の上円部１３と、ポールを支持するためのポール支持部１１と、このポール支持部１１の外周より放射状に配し底円部１４と上円部１３とポール支持部１１とを連結するための連結部１５と、ポール支持部１１の下面に吊り下げた鈴１２とを有するホールポスト本体１０と、ポール支持部１１の上面に起立させたポール２１と、ポールの上部に取り付けた旗２０とから構成されている。
【０００４】
ゲームを行う際には、このようなホールポストをプレイするコース上に適当な間隔を取り、底円部１４を地面に接触させて設置する。
【０００５】
ここで、前述したようにグラウンド・ゴルフは比較的自由にコース設定ができることから、プレーヤーの目的や環境、技能等に応じて、運動場や河川敷、公園、庭等に設置される。
従って、コースが設定される場所は千差万別で、整地がゆきとどいた場所だけとは限らず、設置場所によってはホールポストが不安定になってしまうという問題があった。また、ホールポストは、風等の影響を受けやすく、強い風が吹くとホールポスト全体が転倒してしまい、ホールポスト本来の機能を果たさなくなってしまうという問題があった。
【０００６】
更に、ホールポストは、プレイ中にボールがホールポスト本体にホールインすると、ホールポスト本体の中心に吊り下げられた鈴にボールが当たり、ボールが止まるという仕組みに成っていることから、プレーヤーは、この鈴にボールを当てるように打つ。しかしながら、鈴にボールが当たることで、ホールポストが転倒してしまったり、動いてしまうといった問題があった。
【０００７】
そこで、一般的に、整地がゆきとどかない場所等にコースを設置する場合やホールインしたボールの影響を受けないように、底円部１４をＵの字型の固定具で地面に固定することで、ホールポストの安定性を保つ方法がとられている。
【０００８】
一方、特許文献１では、ポールとフラッグを取り付けたフラッグ体を別々に設け、フラッグ体の基部の外周面を摩擦抵抗の大きい材料で被覆し、ポール頂部にフラッグ体を挿入して装着することで、風の影響を受け難いフラッグ装着構造を備えたグラウンド・ゴルフ用ホールポストが提案されている。
【特許文献１】実用新案登録番号第３１３５９１８号
【考案の開示】
【考案が解決しようとする課題】
【０００９】
しかしながら、前述のような提案では、風による影響は回避できるが、他の問題は解決されていない。また、一般的に行われている底円部をＵの字型の固定具で地面に固定する方法では、固定する箇所等の決定は、ホールポストを設置するプレーヤーに委ねられることから、必ずしも安定した形で設置されるとは限らない。さらに、グラウンド・ゴルフは、その特徴でもある幅広い年齢層のプレーヤーを有していることから、子供や高齢者等には、Ｕの字型の固定具をホールポストに取り付けることは比較的困難が生じるといった問題がある。
【００１０】
本考案は、以上のような問題点に鑑みなされたもので、コース上に簡単にホールポストを設置でき、安定した形で固定することが可能なグラウンド・ゴルフ用ホールポストを提案することを目的とする。
【課題を解決するための手段】
【００１１】
上記目的を達成するために、請求項１に係る本考案は、円形リング状の底円部と、円形リング状の上円部と、ポールを支持するためのポール支持部と、前記ポール支持部の外周より放射状に配し前記底円部と前記上円部と前記ポール支持部とを連結するための連結部と、前記ポール支持部の下面に吊り下げた鈴とを有するホールポスト本体と、前記ポール支持部の上面に起立させたポールと、ポールの上部に取り付けた旗とから構成されたグラウンド・ゴルフ用ホールポストにおいて、前記ホールポスト本体は、前記底円部より下方へ伸びる棒状の本体固定棒を少なくとも１本以上有することを特徴とする。
【００１２】
請求項２に係る本考案は、請求項１に記載のグラウンド・ゴルフ用ホールポストであって、前記本体固定棒は、該本体固定棒の下端に突出する突き刺し刃を有することを特徴とする。
【００１３】
請求項３に係る本考案は、請求項１又は２に記載のグラウンド・ゴルフ用ホールポストであって、前記連結部は、該連結部の下端にねじ孔を有し、さらに、前記本体固定棒は、該本体固定棒の上端より突出するねじ軸を有することで、前記ねじ軸が前記ねじ孔にねじ作用により嵌め合わされることを特徴とする。
【００１４】
本考案によれば、コース上に簡単にホールポストを設置でき、さらに安定した形で固定することが可能なグラウンド・ゴルフ用ホールポストを提供することができる。
【００１５】
請求項１に係るグラウンド・ゴルフ用ホールポストは、ホールポスト本体が底円部より下方へ延びる棒状の本体固定棒を少なくとも１本以上有する。これにより、コース設置の際、コース上に本体固定棒を差し込むだけで、簡単にホールポストを設置でき、更に安定した形で固定することを可能とする。
【００１６】
請求項２においては、本体固定棒の下端に突出する突き刺し刃を有ことで、地面に簡単に本体固定棒を差し込むことを可能とする。
【００１７】
請求項３においては、前記連結部は、該連結部の下端にねじ孔を有し、さらに、前記本体固定棒は、該本体固定棒の上端より突出するねじ軸を有することで、前記ねじ軸が前記ねじ孔にねじ作用により嵌め合わされる。これにより、本体固定棒は、底円部に着脱可能に取り付けられることを可能とする。
【考案を実施するための最良の形態】
【００１８】
以下、本考案に係るグラウンド・ゴルフ用ホールポストを実施するための最良の形態を図面を参照して具体的に説明する。
図１及び図２は、本考案における実施形態の構成を説明する図である。図１は全体の斜視図を、図２は要部拡大正面図をそれぞれ示している。
【００１９】
図１において、ホールポストは、前述同様の構造を成している。ホールポスト本体１０は、円形リング状の底円部１４と、底円部１４の円心上方に配した円形リング状の上円部１３と、上円部１３の円心に配したポールを支持するためのポール支持部１１と、このポール支持部１１の外周より放射状に配し底円部１４と上円部１３とポール支持部１１とを連結するための連結部１５とより形成されている。そして、ポール支持部１１は、その円心下面に吊り下げた鈴１２を備えている。また、ポール支持部１１の上面には、起立させたポール２１を備え、ポールの上部には、ナンバーを記した旗２０が取り付けられている。
【００２０】
図２において、ホールポスト本体１０は、底円部１４より下方へ伸びる棒状の本体固定棒１６を少なくとも１本以上備えている。
ここで、本体固定棒１６には、ホールポスト本体１０と同等の素材、例えば金属線材等をもちいるのが好適であるが、この限りではない。また、本体固定棒１６は、地中に差し込んで使用するものであることから、その外周を摩擦抵抗の少ない材料で被覆したり、また、さび止め等を施してもよい。
【００２１】
本体固定棒１６をホールポスト本体１０に取り付ける方法としては、例えば、底円部１４に溶接又は接着材等により直接固着させる方法が考えられる。
【００２２】
また、接続部１５と一体成型させ、接続部１５の延長上に本体固定棒１６を形成することが考えられる。この場合、底円部１４に直接固着させる方法よりも簡単で、さらに安価に製作することを可能とする。
【００２３】
一方で、ねじ作用を利用し、底円部１４と本体固定棒１６を着脱可能に取り付ける方法が上げられる。
【００２４】
図３は、図２のＡ−Ａ’線切断部断面図を示しており、図４は、本考案の実施形態の構成の一例を説明する本体固定棒の正面図を示している。図３に示すように、連結部１５は、その下端にねじ孔を有し、さらに、図４に示すように、本体固定棒１６は、本体固定棒１６の上端より突出するねじ軸を有することで、ねじ軸がねじ孔にねじ作用により嵌め合わされる。これにより、本体固定棒１６は連結部１５に着脱可能に取り付けることが可能となる。この場合には、固定棒１６をホールポスト本体１０と分離することが可能となることから、練習等によるコースの設置場所としてコンクリート上や体育館等での設置も可能とする。
但し、本体固定棒１６の取り付け方法については、前述の方法に限るものではない。
【００２５】
本体固定棒１６の長さとしては、特に限定していない。但し、地中に差し込んでホールポストを固定した際、ホールポストが風の影響で倒れてしまわない程度に、また、ホールポスト全体が安定性を保ちながら固定される程度の長さを有するものとする。
【００２６】
また、本体固定棒１６は、その下端に突出する突き刺し刃１７を備えている。この突き刺し歯１７は、危険性をはらむものではなく、本体固定棒１６を地面に簡単に突き刺すことができる程度に形成された歯である。これにより、地面に本体固定棒１６を突き刺す際、簡単に突き刺すことが可能となり、子供や高齢者等でもホールポストの設置を簡単にすることが可能となる。
【００２７】
次に、本考案の実施例について図を参照し説明する。
図４は、本考案の実施例を説明する全体図である。ホールポストは、コース上に一定の間隔をおいて設置される。設置する際には、地面３０に突き刺し歯１７を上から下へ真っ直ぐに押し込むように、底円部１４が地面３０にきちんと接触するまで挿入する。底円部１４が地面３０に接触した時点で、安定性を確かめた上で、ホールポストの設置が完了する。
【００２８】
本体固定棒１６でしっかりとホールポストが固定されているため、風の影響は殆ど受けることなくプレイすることが可能である。また、プレーヤーが打ったボールが鈴に当たることで、ホールポストが倒れてしまったり、動いてしまうといったことが防止できるため、プレーヤーはホールポストに煩わされることなく、自分のプレイのみに集中することが可能となる。
【００２９】
また、コース上からホールポストを回収する際には、下から上へ真っ直ぐに力を加え、本体固定棒１６を地面１３より引き抜くことで、簡単に回収することが可能となる。
【図面の簡単な説明】
【００３０】
【図１】本考案における実施形態の構成を説明する全体の斜視図である。
【図２】本考案における実施形態の構成を説明する要部拡大正面図である。
【図３】図２のＡ−Ａ’線切断部断面図である。
【図４】本考案の実施形態の構成の一例を説明する本体固定棒の正面図である。
【図５】本考案の実施例を説明する全体の正面図である。
【図６】従来のグラウンド・ゴルフ用ホールポストを示す全体の斜視図である。
【符号の説明】
【００３１】
１０  ホールポスト本体
１１  ポール支持部
１２  鈴
１３  上円部
１４  底円部
１５  連結部
１６  本体固定棒
１７  突き刺し歯
１８  ねじ孔
１９  ねじ軸
２０  旗
２１  ポール
３０  地面
【図１】
0003139855.tif 000003
【図２】
0003139855.tif 000004
【図３】
0003139855.tif 000005
【図４】
0003139855.tif 000006
【図５】
0003139855.tif 000007
【図６】
0003139855.tif 000008